(57)【要約】      （修正有）【課題】温湿度、風量、清潔度の自動調整能力を有するモジュール式クリーンルームを提供する。【解決手段】温湿度、風量、清潔度の自動調整能力を有するモジュール式クリーンルーム１は、クリーンルームＣＲ、マシンルームＭＲ、浴塵領域ＡＳ及び更衣室ＧＲから構成されるマルチタイプモジュール式クリーンルームであり、そのうち、マシンルームは、環境調節制御器組ＭＲ’を設け、温湿度及び風量を調節し、マルチタイプモジュール式クリーンルームは、研究室、作業室及び清潔度、温湿度制御の要求される小型生産領域間に適用される。【選択図】図１
0003170439.tif 000002
【実用新案登録請求の範囲】
【請求項１】
クリーンルーム（ＣＲ）、マシンルーム（ＭＲ）、浴塵領域（ＡＳ）及び更衣室（ＧＲ）から構成されるか、クリーンルーム（ＣＲ）、浴塵領域（ＡＳ）及び更衣室（ＧＲ）から構成されるマルチタイプモジュール式クリーンルームであり、そのうち、マシンルーム内に環境調整制御器組を設置し、温湿度及び風量を調節し、クリーンルーム上方に複数台の直流ファンフィルタ組を設置し、そのうち、マルチタイプモジュール式クリーンルームは、顧客の要求に応じてモジュールタイプ及び寸法サイズを定める温湿度、風量、清潔度の自動調整能力を有するモジュール式クリーンルーム。
【請求項２】
天井を設置しないクリーンルームの上方に一台の直流ファンフィルタ組を設置し、更衣室及び浴塵領域を設置しない請求項１に記載の温湿度、風量、清潔度の自動調整能力を有するモジュール式クリーンルーム。
【請求項３】
天井を設けたクリーンルームの上方に一台の直流ファンフィルタ組を設置し、更衣室及び浴塵領域を設置しない請求項１に記載の温湿度、風量、清潔度の自動調整能力を有するモジュール式クリーンルーム。
【請求項４】
浴塵領域を設置したクリーンルーム上方に一台の直流ファンフィルタ組を設置する請求項１に記載の温湿度、風量、清潔度の自動調整能力を有するモジュール式クリーンルーム。
【請求項５】
高低式に組み合わさるクリーンルームがクリーンルーム（Ｄ１’）及びクリーンルーム（Ｄ２’）から構成される請求項１に記載の温湿度、風量、清潔度の自動調整能力を有するモジュール式クリーンルーム。
【請求項６】
クリーンルーム（Ｄ１’）上方に一台以上の直流ファンフィルタ組（Ｄ１，Ｄ２，Ｄ３，Ｄ４）を設置する請求項５に記載の温湿度、風量、清潔度の自動調整能力を有するモジュール式クリーンルーム。
【請求項７】
クリーンルーム（Ｄ２’）上方に一台以上の直流ファンフィルタ組（Ｄ５，Ｄ６）を設置する請求項５に記載の温湿度、風量、清潔度の自動調整能力を有するモジュール式クリーンルーム。
【考案の詳細な説明】
【技術分野】
【０００１】
本考案は、温湿度、風量、清潔度の自動調整能力を有するモジュール式クリーンルームに関し、特に、クリーンルーム、マシンルーム、浴塵室及び更衣室により組成されるマルチタイプモジュール式クリーンルームに関する。
【背景技術】
【０００２】
従来、一般のメーカーがハイテク業界又はその他の業界のクリーンルームを引き受ける場合、現場においてクリーンルームを施工する必要があり、そのクリーンルームは、現場に固定され、回収移動する目的を達成することができず、また、電気、水を用いることは、何れも現場で施工し、それは、分業により共に引き受け、施工を集中統合することができず、相対してコストが増加し、利潤が低くなり、また、回収移動することができないという欠陥を有する。
【先行技術文献】
【特許文献】
【０００３】
【特許文献１】特開２００１−２８０６６７号公報
【考案の概要】
【考案が解決しようとする課題】
【０００４】
本考案の目的は、温湿度、風量、清潔度の自動調整能力を有するモジュール式クリーンルームを提供することであり、特にクリーンルーム、マシンルーム、浴塵室及び更衣室から構成されるマルチタイプモジュール式クリーンルームであり、そのうち、クリーンルームの上方に一台以上の直流ファンフィルタ組を取り付け、マシンルームは、環境調節制御器組を設け、温湿度及び風量を調節し、クリーンルーム上方に複数台の無塵室防塵灯具を取り付け、そのうち、マルチタイプモジュール式クリーンルームは、環境及び顧客の要求に応じて、（１）天井を設置しないクリーンルーム、（２）天井を設置したクリーンルーム、（３）浴塵領域を設置したクリーンルーム、（４）高低式組み合わせクリーンルーム、又は前記マルチタイプモジュールクリーンルームの組み合わせに分けることができるようにすることである。
【課題を解決するための手段】
【０００５】
本考案の温湿度、風量、清潔度の自動調整能力を有するモジュール式クリーンルームは、クリーンルーム（ＣＲ）、マシンルーム（ＭＲ）、浴塵領域（ＡＳ）及び更衣室（ＧＲ）から構成されるか、クリーンルーム（ＣＲ）、浴塵領域（ＡＳ）及び更衣室（ＧＲ）から構成されるマルチタイプモジュール式クリーンルームであり、そのうち、マシンルーム内に環境調整制御器組を設置し、温湿度及び風量を調節し、クリーンルーム上方に複数台の直流ファンフィルタ組を設置し、そのうち、マルチタイプモジュール式クリーンルームは、顧客の要求に応じてモジュールタイプ及び寸法サイズを定める。
本考案は下記の特徴を有する。
（１）クリーンルーム（ＣＲ）、マシンルーム（ＭＲ）、浴塵領域（ＡＳ）及び更衣室（ＧＲ）から構成されるか、クリーンルーム（ＣＲ）、浴塵領域（ＡＳ）及び更衣室（ＧＲ）から構成されるマルチタイプモジュール式クリーンルームであり、そのうち、マシンルーム内に環境調整制御器組を設置し、温湿度及び風量を調節し、クリーンルーム上方に複数台の直流ファンフィルタ組を設置し、そのうち、マルチタイプモジュール式クリーンルームは、顧客の要求に応じてモジュールタイプ及び寸法サイズを定める温湿度、風量、清潔度の自動調整能力を有するモジュール式クリーンルーム。
（２）天井を設置しないクリーンルームの上方に一台の直流ファンフィルタ組を設置し、更衣室及び浴塵領域を設置しない（１）に記載の温湿度、風量、清潔度の自動調整能力を有するモジュール式クリーンルーム。
（３）天井を設けたクリーンルームの上方に一台の直流ファンフィルタ組を設置し、更衣室及び浴塵領域を設置しない（１）に記載の温湿度、風量、清潔度の自動調整能力を有するモジュール式クリーンルーム。
（４）浴塵領域を設置したクリーンルーム上方に一台の直流ファンフィルタ組を設置する（１）に記載の温湿度、風量、清潔度の自動調整能力を有するモジュール式クリーンルーム。
（５）高低式に組み合わさるクリーンルームがクリーンルーム（Ｄ１’）及びクリーンルーム（Ｄ２’）から構成される（１）に記載の温湿度、風量、清潔度の自動調整能力を有するモジュール式クリーンルーム。
（６）クリーンルーム（Ｄ１’）上方に一台以上の直流ファンフィルタ組（Ｄ１，Ｄ２，Ｄ３，Ｄ４）を設置する（５）に記載の温湿度、風量、清潔度の自動調整能力を有するモジュール式クリーンルーム。
（７）クリーンルーム（Ｄ２’）上方に一台以上の直流ファンフィルタ組（Ｄ５，Ｄ６）を設置する（５）に記載の温湿度、風量、清潔度の自動調整能力を有するモジュール式クリーンルーム。
【考案の効果】
【０００６】
本考案の製品は、以下の特性を有する：
（１） 本考案の製品は、温湿度、灯光、挿入ソケット、ネットワーク等に対する自動制御が既に完備され、且つ中央制御室に接続することができ、設備の定位を完成し、水電気を引けば、すぐに運転することができる。
（２） 本考案の製品は、清潔レベルに対する変更、クリーンルーム面積の増減、移動回収の応用が容易である。
（３） 本考案の製品は、全システム設備に対し、クリーンルーム環境調節制御器組、クリーンルーム灯具、直流ファンフィルタ組、外気予冷空調ボックス等を含ませることができる。
（４） 本考案の製品は、冷却水、循環風量、圧縮機の排熱回収等の多項に対し、省エネルギー設計し、平常運転で消費電力を読み取る。
（５） 本考案の製品は、内部に、更衣室、浴塵領域、マシンルームを相互に接続するクリーンルームを設け、実験室、研究室及び作業室に対し、何れも満足する。
【図面の簡単な説明】
【０００７】
【図１】本考案のモジュール式クリーンルームの平面図１である。
【図２】本考案のモジュール式クリーンルームの平面図２である。
【図３】本考案のモジュール式クリーンルーム図１である。
【図４】本考案のモジュール式クリーンルーム図２である。
【図５】本考案のモジュール式クリーンルーム図３である。
【図６】本考案のモジュール式クリーンルーム図４である。
【考案を実施するための形態】
【０００８】
本考案は、温湿度、風量、清潔度の自動調整能力を有するモジュール式クリーンルーム１，２であり、主に、図１に示すようなクリーンＣＲ、マシンルームＭＲ、浴塵室ＡＳ及び更衣室ＧＲから構成されるマルチタイプモジュール式クリーンルームであるか、図２に示すようなクリーンルームＣＲ、浴塵室ＡＳ及び更衣室ＧＲから構成されるマルチタイプモジュール式クリーンルームであり、そのうちマシンルームＭＲ内に環境調整制御器組ＭＲ’を設置し、温湿度及び風量を調節し、クリーンルーム上方に複数台の直流ファンフィルタ組Ａ１,Ｂ１,Ｃ１,Ｄ１,Ｄ２,Ｄ３,Ｄ４,Ｄ５,Ｄ６を設置し、そのうち、マルチタイプモジュール式クリーンルームは、顧客の要求に応じてモジュールタイプ及び寸法サイズを定めることができる。
【０００９】
図３〜図６を参照し、温湿度、風量、清潔度の自動調整制御能力を有するモジュール式クリーンルームＡ，Ｂ，Ｃ，Ｄ，Ｅのうち、天井を設置しないクリーンルームＡの上方に一台の直流ファンフィルタ組Ａ１を設置し、更衣室及び浴塵領域を設置せず、図３に示すようである。天井を設置したクリーンルームＢの上方に一台の直流ファンフィルタ組Ｂ１を設置し、更衣室及び浴塵領域を設置せず、図４に示すようである。浴塵領域を設置したクリーンルームＣの上方に一台の直流ファンフィルタ組Ｃ１を設置し、浴塵領域Ｃ２を設置し、図５に示すようである。高低式に組み合うクリーンルームＤは、クリーンルームＤ１’及びクリーンルームＤ２’から構成され、そのうち、クリーンルームＤ１’上方に一台以上の直流ファンフィルタ組Ｄ１，Ｄ２，Ｄ３，Ｄ４を設置し、クリーンルームＤ２’上方に一台以上の直流ファンフィルタ組Ｄ５，Ｄ６を設置し、図６に示すようである。
【００１０】
本考案の製品は、温湿度、灯光、挿入ソケット、ネットワーク等の自動制御が既に完備され、中央制御室に接続することができ、設備の定位が完成し、水及び電気を引けば、運転でき、清潔レベルに対する変更、クリーンルームの面積の増減、移動回収の応用が容易であり、実験室、研究室及び作業室の要求を満足する。
【符号の説明】
【００１１】
１， ２  温湿度、風量、清潔度の自動調整能力を有するモジュール式クリーンルーム
ＣＲ  クリーンルーム
ＭＲ  マシンルーム
ＭＲ’  環境調節制御器組
ＡＳ  浴塵領域
ＧＲ  更衣室
Ａ  天井を設置していないクリーンルーム
Ｂ  天井を設置しているクリーンルーム
Ｃ  浴塵領域を設置しているクリーンルーム
Ｃ２  浴塵領域
Ｄ  高低式組み合わせのクリーンルーム
Ｄ１’，Ｄ２’  クリーンルーム
Ａ１,Ｂ１,Ｃ１,Ｄ１,Ｄ２,Ｄ３,Ｄ４,Ｄ５,Ｄ６  直流ファンフィルタ組
【図１】
0003170439.tif 000003
【図２】
0003170439.tif 000004
【図３】
0003170439.tif 000005
【図４】
0003170439.tif 000006
【図５】
0003170439.tif 000007
【図６】
0003170439.tif 000008
【手続補正書】
【提出日】平成23年7月29日(2011.7.29)
【手続補正１】
【補正対象書類名】明細書
【補正対象項目名】０００４
【補正方法】変更
【補正の内容】
【０００４】
本考案の目的は、温湿度、風量、清潔度の自動調整能力を有するモジュール式クリーンルームを提供することであり、特にクリーンルーム、マシンルーム、浴塵室及び更衣室から構成されるマルチタイプモジュール式クリーンルームであり、そのうち、クリーンルームの上方に一台以上のファンフィルタ組を取り付け、マシンルームは、環境調節制御器組を設け、温湿度及び風量を調節し、クリーンルーム上方に複数台の無塵室防塵灯具を取り付け、そのうち、マルチタイプモジュール式クリーンルームは、環境及び顧客の要求に応じて、（１）天井を設置しないクリーンルーム、（２）天井を設置したクリーンルーム、（３）浴塵領域を設置したクリーンルーム、（４）高低式組み合わせクリーンルーム、又は前記マルチタイプモジュールクリーンルームの組み合わせに分けることができるようにすることである。
【手続補正２】
【補正対象書類名】明細書
【補正対象項目名】０００５
【補正方法】変更
【補正の内容】
【０００５】
本考案の温湿度、風量、清潔度の自動調整能力を有するモジュール式クリーンルームは、クリーンルーム（ＣＲ）、マシンルーム（ＭＲ）、浴塵領域（ＡＳ）及び更衣室（ＧＲ）から構成されるか、クリーンルーム（ＣＲ）、浴塵領域（ＡＳ）及び更衣室（ＧＲ）から構成されるマルチタイプモジュール式クリーンルームであり、そのうち、マシンルーム内に環境調整制御器組を設置し、温湿度及び風量を調節し、クリーンルーム上方に複数台のファンフィルタ組を設置し、そのうち、マルチタイプモジュール式クリーンルームは、顧客の要求に応じてモジュールタイプ及び寸法サイズを定める。
本考案は下記の特徴を有する。
（１）クリーンルーム（ＣＲ）、マシンルーム（ＭＲ）、浴塵領域（ＡＳ）及び更衣室（ＧＲ）から構成されるか、クリーンルーム（ＣＲ）、浴塵領域（ＡＳ）及び更衣室（ＧＲ）から構成されるマルチタイプモジュール式クリーンルームであり、そのうち、マシンルーム内に環境調整制御器組を設置し、温湿度及び風量を調節し、クリーンルーム上方に複数台のファンフィルタ組を設置し、そのうち、マルチタイプモジュール式クリーンルームは、顧客の要求に応じてモジュールタイプ及び寸法サイズを定める温湿度、風量、清潔度の自動調整能力を有するモジュール式クリーンルーム。
（２）天井を設置しないクリーンルームの上方に一台のファンフィルタ組を設置し、更衣室及び浴塵領域を設置しない（１）に記載の温湿度、風量、清潔度の自動調整能力を有するモジュール式クリーンルーム。
（３）天井を設けたクリーンルームの上方に一台のファンフィルタ組を設置し、更衣室及び浴塵領域を設置しない（１）に記載の温湿度、風量、清潔度の自動調整能力を有するモジュール式クリーンルーム。
（４）浴塵領域を設置したクリーンルーム上方に一台のファンフィルタ組を設置する（１）に記載の温湿度、風量、清潔度の自動調整能力を有するモジュール式クリーンルーム。
（５）高低式に組み合わさるクリーンルームがクリーンルーム（Ｄ１’）及びクリーンルーム（Ｄ２’）から構成される（１）に記載の温湿度、風量、清潔度の自動調整能力を有するモジュール式クリーンルーム。
（６）クリーンルーム（Ｄ１’）上方に一台以上のファンフィルタ組（Ｄ１，Ｄ２，Ｄ３，Ｄ４）を設置する（５）に記載の温湿度、風量、清潔度の自動調整能力を有するモジュール式クリーンルーム。
（７）クリーンルーム（Ｄ２’）上方に一台以上のファンフィルタ組（Ｄ５，Ｄ６）を設置する（５）に記載の温湿度、風量、清潔度の自動調整能力を有するモジュール式クリーンルーム。
【手続補正３】
【補正対象書類名】明細書
【補正対象項目名】０００６
【補正方法】変更
【補正の内容】
【０００６】
本考案の製品は、以下の特性を有する：
（１） 本考案の製品は、温湿度、灯光、挿入ソケット、ネットワーク等に対する自動制御が既に完備され、且つ中央制御室に接続することができ、設備の定位を完成し、水電気を引けば、すぐに運転することができる。
（２） 本考案の製品は、清潔レベルに対する変更、クリーンルーム面積の増減、移動回収の応用が容易である。
（３） 本考案の製品は、全システム設備に対し、クリーンルーム環境調節制御器組、クリーンルーム灯具、ファンフィルタ組、外気予冷空調ボックス等を含ませることができる。
（４） 本考案の製品は、冷却水、循環風量、圧縮機の排熱回収等の多項に対し、省エネルギー設計し、平常運転で消費電力を読み取る。
（５） 本考案の製品は、内部に、更衣室、浴塵領域、マシンルームを相互に接続するクリーンルームを設け、実験室、研究室及び作業室に対し、何れも満足する。
【手続補正４】
【補正対象書類名】明細書
【補正対象項目名】０００８
【補正方法】変更
【補正の内容】
【０００８】
本考案は、温湿度、風量、清潔度の自動調整能力を有するモジュール式クリーンルーム１，２であり、主に、図１に示すようなクリーンＣＲ、マシンルームＭＲ、浴塵室ＡＳ及び更衣室ＧＲから構成されるマルチタイプモジュール式クリーンルームであるか、図２に示すようなクリーンルームＣＲ、浴塵室ＡＳ及び更衣室ＧＲから構成されるマルチタイプモジュール式クリーンルームであり、そのうちマシンルームＭＲ内に環境調整制御器組ＭＲ’を設置し、温湿度及び風量を調節し、クリーンルーム上方に複数台のファンフィルタ組Ａ１,Ｂ１,Ｃ１,Ｄ１,Ｄ２,Ｄ３,Ｄ４,Ｄ５,Ｄ６を設置し、そのうち、マルチタイプモジュール式クリーンルームは、顧客の要求に応じてモジュールタイプ及び寸法サイズを定めることができる。
【手続補正５】
【補正対象書類名】明細書
【補正対象項目名】０００９
【補正方法】変更
【補正の内容】
【０００９】
図３〜図６を参照し、温湿度、風量、清潔度の自動調整制御能力を有するモジュール式クリーンルームＡ，Ｂ，Ｃ，Ｄ，Ｅのうち、天井を設置しないクリーンルームＡの上方に一台のファンフィルタ組Ａ１を設置し、更衣室及び浴塵領域を設置せず、図３に示すようである。天井を設置したクリーンルームＢの上方に一台のファンフィルタ組Ｂ１を設置し、更衣室及び浴塵領域を設置せず、図４に示すようである。浴塵領域を設置したクリーンルームＣの上方に一台のファンフィルタ組Ｃ１を設置し、浴塵領域Ｃ２を設置し、図５に示すようである。高低式に組み合うクリーンルームＤは、クリーンルームＤ１’及びクリーンルームＤ２’から構成され、そのうち、クリーンルームＤ１’上方に一台以上のファンフィルタ組Ｄ１，Ｄ２，Ｄ３，Ｄ４を設置し、クリーンルームＤ２’上方に一台以上のファンフィルタ組Ｄ５，Ｄ６を設置し、図６に示すようである。
【手続補正６】
【補正対象書類名】明細書
【補正対象項目名】００１１
【補正方法】変更
【補正の内容】
【００１１】
１， ２  温湿度、風量、清潔度の自動調整能力を有するモジュール式クリーンルーム
ＣＲ  クリーンルーム
ＭＲ  マシンルーム
ＭＲ’  環境調節制御器組
ＡＳ  浴塵領域
ＧＲ  更衣室
Ａ  天井を設置していないクリーンルーム
Ｂ  天井を設置しているクリーンルーム
Ｃ  浴塵領域を設置しているクリーンルーム
Ｃ２  浴塵領域
Ｄ  高低式組み合わせのクリーンルーム
Ｄ１’，Ｄ２’  クリーンルーム
Ａ１,Ｂ１,Ｃ１,Ｄ１,Ｄ２,Ｄ３,Ｄ４,Ｄ５,Ｄ６  ファンフィルタ組
【手続補正７】
【補正対象書類名】実用新案登録請求の範囲
【補正対象項目名】全文
【補正方法】変更
【補正の内容】
【実用新案登録請求の範囲】
【請求項１】
クリーンルーム（ＣＲ）、マシンルーム（ＭＲ）、浴塵領域（ＡＳ）及び更衣室（ＧＲ）から構成されるか、クリーンルーム（ＣＲ）、浴塵領域（ＡＳ）及び更衣室（ＧＲ）から構成されるマルチタイプモジュール式クリーンルームであり、そのうち、マシンルーム内に環境調整制御器組を設置し、温湿度及び風量を調節し、クリーンルーム上方に複数台のファンフィルタ組を設置し、そのうち、マルチタイプモジュール式クリーンルームは、顧客の要求に応じたモジュールタイプ及び寸法サイズであり、寸法を固定した型板により左右上下の接合面から延伸して組み合わさってなる温湿度、風量、清潔度の自動調整能力を有するモジュール式クリーンルーム。
【請求項２】
天井を設置しないクリーンルームの上方に一台のファンフィルタ組を設置し、更衣室及び浴塵領域を設置しない請求項１に記載の温湿度、風量、清潔度の自動調整能力を有するモジュール式クリーンルーム。
【請求項３】
天井を設けたクリーンルームの上方に一台のファンフィルタ組を設置し、更衣室及び浴塵領域を設置しない請求項１に記載の温湿度、風量、清潔度の自動調整能力を有するモジュール式クリーンルーム。
【請求項４】
浴塵領域を設置したクリーンルーム上方に一台のファンフィルタ組を設置する請求項１に記載の温湿度、風量、清潔度の自動調整能力を有するモジュール式クリーンルーム。
【請求項５】
高低式に組み合わさるクリーンルームがクリーンルーム（Ｄ１’）及びクリーンルーム（Ｄ２’）から構成される請求項１に記載の温湿度、風量、清潔度の自動調整能力を有するモジュール式クリーンルーム。
【請求項６】
クリーンルーム（Ｄ１’）上方に一台以上のファンフィルタ組（Ｄ１，Ｄ２，Ｄ３，Ｄ４）を設置する請求項５に記載の温湿度、風量、清潔度の自動調整能力を有するモジュール式クリーンルーム。
【請求項７】
クリーンルーム（Ｄ２’）上方に一台以上のファンフィルタ組（Ｄ５，Ｄ６）を設置する請求項５に記載の温湿度、風量、清潔度の自動調整能力を有するモジュール式クリーンルーム。